(57)【要約】  【課題】  フロントパネルに記録メディアを挿入／排出するための開口部と、該開口部に開閉可能に配置されるドアを備える電子機器であって、振動や力が付与することで前記ドアがはずれても、ドアを常時閉鎖方向に付勢するばねが該ドアから離脱せず、基板の短絡、駆動機構の動作不良等の不具合の発生を抑制する。  【解決手段】  第１係合部２１の円柱部２１１にコイルばね３の巻線部３３が外嵌され、コイルばね３の延伸部３２１及び屈曲部３２２は連結部２１２に接触して配置されている。延伸部３２１は連結部２１２の円柱部２１１が取り付けられている面と直交する面に接して配置されており、屈曲部３２２は円柱部２１１が取り付けられている面と反対側の面に接触するように配置されている。【選択図】      図２
2006351074.tif 000002
【特許請求の範囲】
【請求項１】
記録メディアを挿入又は排出するための開口部を有するフロントパネルと、前記開口部
に開閉可能に取り付けられ常時閉鎖する方向に付勢されるドアとを有する電子機器であっ
て、
前記フロントパネルは前記開口部の上側に形成され前記ドアが閉鎖状態のときに該ドア
の上部と係合するドア停止用リブと、フロントパネルの裏面に一体突設され前記トレイド
アを回動可能に支持するための３個取付部とを有しており、
前記ドアは長尺形状を有するドア本体と、前記ドア本体の上側に一体連設され、前記フ
ロントパネルの背面に形成された取付部と係合するための３個の係合部と、前記ドアを常
時閉鎖方向に付勢するコイルばねとを有しており、
前記係合部は前記ドア本体の両端部及び中央部に形成されるものであり、両端部に形成
される係合部は円柱部と、前記ドア本体の上部に配置され前記ドア本体及び前記円柱部と
一体に形成される連結部とを有しており、
前記コイルばねは両端部に配置される係合部のうち一方の前記円柱部に外嵌するもので
あり、鋼線をらせん状に巻きつけた巻線部と、前記巻線部一方の端部は直線状に形成され
る第１端部と、前記巻線部の軸方向に延びる延伸部、該延伸部に対し直角に屈曲する屈曲
部及び該屈曲部より屈曲するドア押え部とを具備する第２端部とを有しており、
前記コイルばねの第１端部は前記フロントパネルの裏面と当接し、前記第２端部の巻線
部は前記係合部の円柱部に外嵌し、前記延伸部は前記連結部の前記円柱部と連結する面と
直交する面のうち正面側の面と当接し、前記屈曲部は前記連結部の円柱部と連結する面の
反対側の面と係合し、前記ドア押え部は前記ドア本体の背面と当接しており、
前記第１端部が前記フロントパネルの背面部を、前記第２端部のドア押え部がドアを押
えることで前記ドアを常時閉鎖方向に付勢し、前記屈曲部が前記連結部と係合することで
前記コイルばねの抜け止めが成されることを特徴とする電子機器。
【請求項２】
記録メディアを挿入又は排出するための開口部を有するフロントパネルと、前記開口部
に開閉可能に取り付けられ常時閉鎖する方向に付勢されるドアとを有する電子機器であっ
て、
前記フロントパネルは前記開口部の上側に形成され前記ドアが閉鎖状態のときに該ドア
の上部と係合するドア停止用リブと、フロントパネルの裏面に一体突設され前記トレイド
アを回動可能に支持するための取付部とを有しており、
前記ドアは長尺形状を有するドア本体と、前記ドア本体の上側に一体連設され、前記フ
ロントパネルの背面に形成された取付部と係合するための係合部と、前記ドアを常時閉鎖
方向に付勢するコイルばねとを有しており、
前記係合部は前記ドア本体の両端部に形成されるものであり、円柱部と、前記ドア本体
の上部に配置され前記ドア本体及び前記円柱部と一体に形成される連結部とを有しており
、
前記コイルばねは両端部に配置される係合部のうち一方の前記円柱部に外嵌するもので
あり、鋼線をらせん状に巻きつけた巻線部と、前記巻線部一方の端部は直線状に形成され
る第１端部と、前記巻線部の軸方向に延びる延伸部、該延伸部に対し直角に屈曲する屈曲
部及び該屈曲部より屈曲するドア押え部とを具備する第２端部とを有しており、
前記コイルばねの第１端部は前記フロントパネルの裏面と当接し、前記第２端部の巻線
部は前記係合部の円柱部に外嵌し、前記延伸部は前記連結部の前記円柱部と連結する面と
直交する面のうち正面側の面と当接し、前記屈曲部は前記連結部の円柱部と連結する面の
反対側の面と係合し、前記ドア押え部は前記ドア本体の背面と当接しており、
前記第１端部が前記フロントパネルの背面部を、前記第２端部のドア押え部がドアを押
えることで前記ドアを常時閉鎖方向に付勢し、前記屈曲部が前記連結部と係合することで
前記コイルばねの抜け止めが成されることを特徴とする電子機器。
【発明の詳細な説明】
【技術分野】
【０００１】
本発明は、記録メディアを挿入／排出するときに、その挿入／排出動作に連動して開閉
するドアを備えた電子機器に関するものである。
【背景技術】
【０００２】
映像及び（又は）音楽を再生／記録するための電子機器は、正面に映像、音楽等のソー
スデータを記録する記録メディアを挿入／排出するためのスリットを有しており、該スリ
ットには前記記録メディアの動作にあわせて開閉するドアを備えているものが多い。前記
ドアは、異物の進入や内部が見えるのを防ぐために閉じた状態になっており、常に弾性部
材にて閉鎖方向に付勢されている。
【０００３】
図５に従来の電子機器の一例であるＶＴＲ（Video Tape Recorder）の正面図を、図６
に図５に示すＶＴＲのドアの取付部の拡大図を示す。図５に示すように、ＶＴＲの前面に
取り付けられるフロントパネル９１と、フロントパネル９１に取り付けられた電源ボタン
９１１と、記録メディアであるビデオカセットを出し入れするためのカセット挿入部９１
２と、ＶＴＲ内部に挿入されたビデオカセットを排出するときに押下するカセット排出ボ
タン９１３と、ＶＴＲの状態を示すための情報表示窓９１４とを備えている。カセット挿
入部９１２にはカセットを挿入／排出するときに開閉するドア９２が取り付けられている
。
【０００４】
図６に示すように、ドア９２には弾性部材（ここでは、コイルばね９３）が取り付けら
れており、コイルばね９３の弾性力にて常に閉鎖方向に付勢され、閉じている。ドア９２
は内部に向かって開く構造を有しており、ビデオカセットを挿入するときは、該ビデオカ
セットでドアを押し開くように押し、ビデオカセットが排出されるときは、ドア９２が開
いた後にビデオカセットが排出されるようになっている。
【０００５】
図６に示すようドア９２は薄い樹脂製の長尺部材である本体９２０と、フロントパネル
９１の取付部と回動可能に係合する第１係合部９２１と、第２係合部９２２と、中央係合
部９２３とを有している。コイルばね９３は、金属線をらせん状に巻いた形状を有する巻
線部９３０と、直線状に延びる第１端部９３１及び第２端部９３２とを有している。
【０００６】
図６に示すように、コイルばね９３の巻線部９３０は第１係合部９２１に外嵌するよう
に取り付けられている。ドア９２の取り付けは第２係合部９２２をフロントパネル９１の
背面に形成された取付部に係合し、ドア９２の本体９２０を弾性変形させ、第１係合部９
２１を取付部に取り付けることで、フロントパネル９１に回動可能（換言すると、開閉可
能）に取り付けられる。
【０００７】
このとき、図６に示すようにコイルばね９３の第１端部９３１はフロントパネル９１の
背面と当接し、第２端部９３２はドア９２の本体９２０の背面と当接し、第１端部９３１
がフロントパネル９１の背面を、第２端部９３２がドア９２の背面を押すことで、ドア９
２を常時閉鎖する方向に付勢している（実開平４−１１１０３１号公報等参照）。
【０００８】
ドア９２は弾性変形によりフロントパネル９１に取り付けられるものであり、荷重がか
かることで弾性変形し、不意に外れる場合がある。ドア９２が外れるとコイルばね９３が
ドア９２の第１係合部９２１より外れ、ＶＴＲのスイッチ等に挟まってスイッチが動作不
良になったり、基板上に落ちてショートし発熱したりすることがある。
【０００９】
そこで、特開２０００−１４５２７０号公報に記載の発明では、ばね部材の両端部にフ
ック部を形成しておき、本体及び蓋体に予め形成されているフック部を係合するためのば
ね掛け部にフック部を係合するものが示されている。
【００１０】
また、実開昭６０−８２７５０号公報の考案によると、捩りばねをカセット蓋に配置さ
れる係合子にて係合するものが示されており、前記係合子で係合することで、捩りばねが
ずれるのを防いでいる。
【特許文献１】特開２０００−１４５２７０号公報
【特許文献２】実開昭６０−８２７５０号公報
【特許文献３】実開平４−１１１０３１号公報
【発明の開示】
【発明が解決しようとする課題】
【００１１】
しかしながら、特開２０００−１４５２７０号公報に記載の発明のような係合用のフッ
ク部を設ける場合、本体及び（又は）蓋体に前記フック部を係合させることができるばね
掛け部を予め形成しておかなくてはならず、本体及び（又は）蓋体の製造に手間と、時間
がかかりコストが高くなる。
【００１２】
また、特開２０００−１４５２７０号公報及び実開昭６０−８２７５０号公報に記載の
発明では、本体及び蓋体にばねが取り付けにくく、蓋体が本体と分離されて配置されてい
るときに、ばねと前記蓋体及び本体とが分離してしまうので、組立時にばねの取り付けに
手間と、時間がかかり組立コストが高くなる。
【００１３】
そこで本発明は、フロントパネルに記録メディアを挿入／排出するための開口部と、該
開口部に開閉可能に配置されるドアを備える電子機器であって、振動や力が付与すること
で前記ドアがはずれても、ドアを常時閉鎖方向に付勢するばねが該ドアから離脱せず、基
板の短絡、駆動機構の動作不良等の不具合の発生を抑制することを目的とする。
【００１４】
また本発明は、フロントパネルに記録メディアを挿入／排出するための開口部と、該開
口部に開閉可能に配置されるドアを備える電子機器であって、前記ドアを容易に組付ける
ことを目的とする。
【課題を解決するための手段】
【００１５】
上記目的を達成するために本発明は、記録メディアを挿入又は排出するための開口部を
有するフロントパネルと、前記開口部に開閉可能に取り付けられ常時閉鎖する方向に付勢
されるドアとを有する電子機器であって、前記フロントパネルは前記開口部の上側に形成
され前記ドアが閉鎖状態のときに該ドアの上部と係合するドア停止用リブと、フロントパ
ネルの裏面に一体突設され前記トレイドアを回動可能に支持するための３個取付部とを有
しており、前記ドアは長尺形状を有するドア本体と、前記ドア本体の上側に一体連設され
、前記フロントパネルの背面に形成された取付部と係合するための３個の係合部と、前記
ドアを常時閉鎖方向に付勢するコイルばねとを有しており、前記係合部は前記ドア本体の
両端部及び中央部に形成されるものであり、両端部に形成される係合部は円柱部と、前記
ドア本体の上部に配置され前記ドア本体及び前記円柱部と一体に形成される連結部とを有
しており、前記コイルばねは両端部に配置される係合部のうち一方の前記円柱部に外嵌す
るものであり、鋼線をらせん状に巻きつけた巻線部と、前記巻線部一方の端部は直線状に
形成される第１端部と、前記巻線部の軸方向に延びる延伸部、該延伸部に対し直角に屈曲
する屈曲部及び該屈曲部より屈曲するドア押え部とを具備する第２端部とを有しており、
前記コイルばねの第１端部は前記フロントパネルの裏面と当接し、前記第２端部の巻線部
は前記係合部の円柱部に外嵌し、前記延伸部は前記連結部の前記円柱部と連結する面と直
交する面のうち正面側の面と当接し、前記屈曲部は前記連結部の円柱部と連結する面の反
対側の面と係合し、前記ドア押え部は前記ドア本体の背面と当接しており、前記第１端部
が前記フロントパネルの背面部を、前記第２端部のドア押え部がドアを押えることで前記
ドアを常時閉鎖方向に付勢し、前記屈曲部が前記連結部と係合することで前記コイルばね
の抜け止めが成されることを特徴とする。
【００１６】
この構成によると、前記コイルばねを前記ドアの円柱部に外嵌し、前記延伸部及び前記
屈曲部を前記連結部と係合させることで、該ドアを前記フロントパネルに取り付けるなく
ても、前記コイルばねが前記係合部より外れるのを抑制することができる。
【００１７】
このことは、前記電子機器を使用中に該電子機器に振動が加わったり、前記ドアに力が
付与したりして、該ドアが前記フロントパネルより外れても、前記コイルばねは前記ドア
の前記係合部の円柱部から離脱することがなく、前記コイルばねが前記電子機器の内部に
配置された基板の導電部と接触して短絡して、電子部品を破損したり、発熱・発火したり
する不具合が発生するのを抑制することができる。
【００１８】
また、歯車等の駆動機構に挟まることで、駆動機構の動作を妨げたり、破損してしまっ
たりする等の不具合が発生するのを抑制することができる。
【００１９】
また、予め前記ドアの円柱部に前記コイルばねを配置していても脱落することがないの
で、前記ドアに前記コイルばねを取り付ける工程と、該コイルばねを取り付けたドアを前
記フロントパネルに取り付ける工程を別工程としてもよく、それだけ、組立工程を円滑化
することができ、コストダウンを図ることができる。
【００２０】
上記目的を達成するために本発明は、記録メディアを挿入又は排出するための開口部を
有するフロントパネルと、前記開口部に開閉可能に取り付けられ常時閉鎖する方向に付勢
されるドアとを有する電子機器であって、前記フロントパネルは前記開口部の上側に形成
され前記ドアが閉鎖状態のときに該ドアの上部と係合するドア停止用リブと、フロントパ
ネルの裏面に一体突設され前記トレイドアを回動可能に支持するための取付部とを有して
おり、前記ドアは長尺形状を有するドア本体と、前記ドア本体の上側に一体連設され、前
記フロントパネルの背面に形成された取付部と係合するための係合部と、前記ドアを常時
閉鎖方向に付勢するコイルばねとを有しており、前記係合部は前記ドア本体の両端部に形
成されるものであり、円柱部と、前記ドア本体の上部に配置され前記ドア本体及び前記円
柱部と一体に形成される連結部とを有しており、前記コイルばねは両端部に配置される係
合部のうち一方の前記円柱部に外嵌するものであり、鋼線をらせん状に巻きつけた巻線部
と、前記巻線部一方の端部は直線状に形成される第１端部と、前記巻線部の軸方向に延び
る延伸部、該延伸部に対し直角に屈曲する屈曲部及び該屈曲部より屈曲するドア押え部と
を具備する第２端部とを有しており、前記コイルばねの第１端部は前記フロントパネルの
裏面と当接し、前記第２端部の巻線部は前記係合部の円柱部に外嵌し、前記延伸部は前記
連結部の前記円柱部と連結する面と直交する面のうち正面側の面と当接し、前記屈曲部は
前記連結部の円柱部と連結する面の反対側の面と係合し、前記ドア押え部は前記ドア本体
の背面と当接しており、前記第１端部が前記フロントパネルの背面部を、前記第２端部の
ドア押え部がドアを押えることで前記ドアを常時閉鎖方向に付勢し、前記屈曲部が前記連
結部と係合することで前記コイルばねの抜け止めが成されることを特徴とする。
【００２１】
この構成によると、前記コイルばねを前記ドアの円柱部に外嵌し、前記延伸部及び前記
屈曲部を前記連結部と係合させることで、該ドアを前記フロントパネルに取り付けなくて
も、前記コイルばねが前記係合部より外れるのを抑制することができる。
【００２２】
このことは、前記電子機器を使用中に該電子機器に振動が加わったり、前記ドアに力が
付与したりして、該ドアが前記フロントパネルより外れても、前記コイルばねは前記ドア
の前記係合部の円柱部から離脱することがなく、前記コイルばねが前記電子機器の内部に
配置された基板の導電部と接触して短絡して、電子部品を破損したり、発熱・発火したり
する不具合が発生するのを抑制することができる。
【００２３】
また、歯車等の駆動機構に挟まることで、駆動機構の動作を妨げたり、破損してしまっ
たりする等の不具合が発生するのを抑制することができる。
【発明の効果】
【００２４】
本発明によると、フロントパネルに記録メディアを挿入／排出するための開口部と、該
開口部に開閉可能に配置されるドアを備える電子機器であって、振動や力が付与すること
で前記ドアがはずれても、ドアを常時閉鎖方向に付勢するばねが該ドアから離脱せず、基
板の短絡、駆動機構の動作不良等の不具合の発生を抑制することができる。
【００２５】
また本発明によると、フロントパネルに記録メディアを挿入／排出するための開口部と
、該開口部に開閉可能に配置されるドアを備える電子機器であって、前記ドアを容易に組
付けることができる。
【発明を実施するための最良の形態】
【００２６】
以下に本発明の実施形態を図面を参照して説明する。図１に本発明にかかる電子機器の
一例の正面図を示す。図１に示す電子機器はそれには限定されないが、ここではＶＴＲで
ある。図１に示すＶＴＲは、フロントパネル１を有しており、フロントパネル１にはメデ
ィアであるビデオカセットを挿入、排出するための開口部１１と、開口部１１に取り付け
られた開閉可能なドア２とを有している。フロントパネル１にはビデオカセットを排出す
るためのメディア排出ボタン１２と、電源ボタン１３と、ＶＴＲの状態を示す表示部１４
とが備えられている。
【００２７】
図２に図１に示す電子機器のフロントパネルの背面図を示す。フロントパネル１の背面
１０は、ドア２を回動可能（換言すると、開閉可能）に係合するための取付部１５を有し
ている。ドア２は長尺部材である本体２０と、本体２０の上部に配置され、フロントパネ
ル１の取付部１５と回動可能に係合される第１係合部２１、第２係合部２２及び中央係合
部２３と、ドア２が閉じるときにフロントパネル１の開口部１１より行き過ぎるのを防ぐ
ための突起部２４とを有している。また、第１係合部２１には第１係合部２１を外嵌し、
ドア２を常時閉鎖方向に付勢するコイルばね３が取り付けられている。
【００２８】
図３に図２に示すフロントパネルに取り付けられるドアの背面図を、図４に図３に示す
ドアの平面図を示す。図３に示すように第１係合部２１はフロントパネル１の取付部１５
と係合するための円柱部２１１と、ドア本体２０と円柱部２１１とを連結する連結部２１
２とを有している。第２係合部２２はフロントパネル１の取付部１５と係合するための円
柱部２２１と、ドア本体２０と円柱部２２１とを連結する連結部２２２とを有している。
【００２９】
第１係合部２１の円柱部２１１にはコイルばね３が外嵌配置されている。コイルばね３
は、鋼線をコイル状に巻いたばねであり、第１端部３１と、第２端部３２と、巻線部３３
とを有している。第１端部３１は巻線部３３の一方の端部と連設されており、直線状に形
成されている。第２端部３２は巻線部３３の第１端部３１が連設されているのと反対側の
端部と連設されている。
【００３０】
第２端部３２はコイルばね３の軸方向に延びる延伸部３２１と、延伸部３２１から直角
に屈曲する屈曲部３２２と、さらに屈曲部３２２よりドア２の本体２０に沿って屈曲する
ドア押え部３２３とを有している。
【００３１】
図３に示すように、第１係合部２１の円柱部２１１にコイルばね３の巻線部３３が外嵌
される。このとき、コイルばね３の延伸部３２１及び屈曲部３２２は連結部２１２に接触
して配置されている。
【００３２】
延伸部３２１は連結部２１２の円柱部２１１が取り付けられている面と直交する面に接
して配置されており、屈曲部３２２は円柱部２１１が取り付けられている面と反対側の面
に接触するように配置されている。また、ドア押え部３２３はドア２の本体２０と接触し
て配置されている。延伸部３２１は連結部２１２の前面側と、ドア押え部２１３は本体２
０の裏側と接触するように配置される。
【００３３】
このように、コイルばね３の屈曲部３２２が連結部２１２の円柱部２１１との連結部と
反対側と接触するように配置されることで、コイルばね３が円柱部２１１から脱落するの
を防いでいる。また、図３に示すように、コイルばね３の第１端部３１がフロントパネル
１の背面に当接し、第２端部３２のドア押え部３２３がドア２の本体２０背面と当接して
いるので、ドア３は常時閉鎖方向に付勢されている。このとき、ドア２に設けられた突起
部２４がフロントパネル１の内面に当接することで、ドア２が外側に行き過ぎないように
、換言すると、ドア２がフロントパネル１からはみ出さないようにとめている。
【００３４】
ＶＴＲにビデオカセットを挿入する場合、ビデオカセットでドア２を押すことで、ドア
２をＶＴＲ内部に閉じて挿入する。ビデオカセット所定位置よりも奥に挿入されると、ド
ア２とビデオカセットとが接触しなくなるので、ドア２は閉鎖する。また、ＶＴＲからビ
デオカセットを取り出す場合、ＶＴＲに設けられた開閉部材（図示省略）でドア３を持ち
上げ、ビデオカセットを排出する。ビデオカセットが排出されてしまうと、ドア２はコイ
ルばね３に付勢されて閉じる。
【００３５】
このように、ビデオカセットの挿入及び排出に合わせてドア２を開くのでＶＴＲ内部が
見えず、円滑にビデオカセットを挿入、排出することができる。また、ＶＴＲに振動やド
アに力が作用しドア２がはずれても、コイルばね３がドア２の第１係合部２１から脱落し
ないので、ＶＴＲの駆動機構に挟まって駆動機構の動作を妨害したり、基板上に落ちて短
絡し、過熱したり、基板に実装されている電子部品が誤動作したりして、ＶＴＲの動作が
不安定になるのを防ぐことができる。
【００３６】
またドア２は長尺部材である本体２０を弾性変形させ、換言すると長手方向にたわませ
て、第１係合部２１、第２係合部２２及び中央係合部２３をフロントパネル１の取付部１
５に係合させて取り付けるものである。コイルばね３は延伸部３２１、屈曲部３２２及び
ドア押え部３２３がドア２の第１係合部２１と係合し、脱落するのを抑制しているので、
ドア２をフロントパネル１に取り付ける前に、ドア２の第１係合部２１の円柱部２１１に
コイルばね３の巻線部３３を外嵌することができる。
【００３７】
このことは、フロントパネル１にドア２を取り付ける工程と、ドア２にコイルばね３を
外嵌する工程と一連の工程とする必要がなく、すなわち、フロントパネル１にドア２を取
り付ける工程と、ドア２にコイルばね３を取り付ける工程とを分けて行うことができ、電
子機器を量産化するときの製造組立工程、組立ラインの配置の自由度を上げることが可能
であり、これにより、製造組み立てに必要な時間及び手間を低減することができ、コスト
を低下させることができる。
【００３８】
上記実施例において、ドア押え部３２３が斜めに傾斜して形成されるものが例示されて
いるが、それに限定されるものではなく、弾性部材であるコイルばね３がドア２の第１係
合部２１に着脱しやすく、脱落しにくいとともにドア２が常時閉じるように付勢できるも
のを広く採用することができる。
【００３９】
上記実施例において、電子機器としてビデオカセットの録画、再生を行うＶＴＲを採用
しているが、それに限定されるものではなく、常時閉鎖方向に付勢され、記録メディアの
挿入／排出に連動して開閉するドアを有するものを広く採用することができる。
【産業上の利用可能性】
【００４０】
本発明は、ＶＴＲ、ＤＶＤ等の記録メディアの挿入／排出に連動して開閉するドアを有
する電子機器において適用することができる。
【図面の簡単な説明】
【００４１】
【図１】本発明にかかる電子機器の一例の正面図である。
【図２】図１に示す電子機器のフロントパネルの背面図である。
【図３】図２に示すフロントパネルに取り付けられるドアの背面図である。
【図４】図３に示すドアの平面図である。
【図５】従来の電子機器の正面図である。
【図６】図５に示す電子機器のドアの取付部の拡大図である。
【符号の説明】
【００４２】
１  フロントパネル
１１  開口部
１２  メディア排出ボタン
１３  電源ボタン
１４  表示部
１５  取付部
２  ドア
２０  本体
２１  第１係合部
２１１  円柱部
２１２  連結部
２２  第２係合部
２２１  円柱部
２２２  連結部
２３  中央係合部
２４  突起部
３  コイルばね
３１  第１端部
３２  第２端部
３２１  延伸部
３２２  屈曲部
３２３  ドア押え部
３３  巻線部
【図１】
2006351074.tif 000003
【図２】
2006351074.tif 000004
【図３】
2006351074.tif 000005
【図４】
2006351074.tif 000006
【図５】
2006351074.tif 000007
【図６】
2006351074.tif 000008